(57)【特許請求の範囲】
【請求項１】
非肌当接面側に配された裏面シートの非肌当接面に粘着部を形成し、該粘着部を介して、装着者の下着に取り付けられる縦長の吸収性物品であって、
前記粘着部は、前記吸収性物品の長手方向両側部に２対以上設けられ、且つ装着者の体液排泄部に当接される排泄部領域における幅方向外側領域に位置し、幅方向内側に向かって凸な曲線形状を有しており、排泄部領域における中央領域には前記粘着部が存在しない部分を有し、
前記２対以上の粘着部は、それぞれ前記吸収性物品の幅方向に所定間隔を置いて配置されており、
幅方向の最も内側の一対の粘着部の長さが、他の一対の粘着部の長さよりも短く形成されており、
前記排泄部領域の前後の領域に位置する粘着部が、２対以上設けられており、それぞれ前記吸収性物品の長手方向に所定間隔を置いて配置されており、該排泄部領域の前後の領域に位置する粘着部の間隔が前記幅方向外側領域に位置する粘着部の間隔より疎である吸収性物品。
【請求項２】
前記排泄部領域の前後の領域に位置する粘着部は、幅方向に延びている請求項１に記載の吸収性物品。
【請求項３】
前記吸収性物品の外周縁部に沿って形成されているリング状の周縁粘着部を有する請求項１又は２に記載の吸収性物品。
【請求項４】
前記吸収性物品の外周縁部に沿って形成されているリング状の周縁粘着部を有しており、且つ前記周縁粘着部の内側域において複数のリング状粘着部を有する請求項１〜３の何れか１項に記載の吸収性物品。
【発明の詳細な説明】
【技術分野】
【０００１】
本発明は、生理用ナプキン、パンティライナー（おりものシート）、失禁パッド等の各種吸収性物品に関する。
【背景技術】
【０００２】
従来、生理用ナプキン、パンティライナー（おりものシート）、失禁パッド等の各種吸収性物品においては、装着時のズレ止めを図るために、吸収性物品の裏面シートの非肌当接面に粘着部を設けることが広く行われている。
この粘着部の塗布パターンとして、裏面シートの全面に塗布すれば、例えば裏面シートとして通気性フィルムを用いる場合は裏面シートの通気性が損なわれてしまう。また製造コストがアップしてしまう。
特許文献１には、吸収性物品の外周縁に沿って外周縁に粘着部が塗布されている吸収性物品が開示されている。
また、特許文献２には、吸収性物品の幅方向にライン状に粘着部が塗布され、長手方向に複数個粘着部が塗布された吸収性物品が開示されている（図８参照）。
【０００３】
【特許文献１】特表平１０−５０９３４０号公報
【特許文献２】特開２００３−１０２４５号公報
【発明の開示】
【発明が解決しようとする課題】
【０００４】
吸収性物品を下着に固定し、それを装着して生活をおくるに際し、装着者の体液排泄部に当接される吸収性物品の排泄部領域は、両足の付け根側から幅方向内側に圧力を受けたり、装着者の動きによるひねり、せん断力等の力が加わる等、様々な方向からいろいろなタイミングで複雑な力を受けている。
特許文献１の吸収性物品においては、外周縁に沿って外周縁にのみ粘着部が塗布されているため、上述の複雑な力を受けると、吸収性物品に皺やヨレが生じ、装着者に違和感を与えてしまうだけでなく、排泄部領域のヨレに影響されて吸収性物品外周縁の粘着部がめくれ、めくれの程度（すなわちヨレの程度）によっては使用できなくなる虞がある。尚、引用文献１に記載の吸収性物品は、構成要素の少なくとも一つが可撓性かつ弾性であり、その構成は本発明と大きく相違する。
特許文献２の吸収性物品においては、長手方向に不連続とされ、幅方向に延びる粘着部が塗布さているため、上述の複雑な力を受けると、幅方向の両端部や排泄部領域の粘着部が剥がれ易く、吸収性物品自体による皺やヨレ及び剥がれた粘着部が下着の他の部位や吸収性物品自体に再固定されることにより皺やヨレが生じ、装着者に違和感を与えてしまう。また、幅方向に連続して直線状に粘着部が塗布さているため、装着者の体液排泄部へ向かう方向への動きが拘束され、排泄部にフィットし難い。
【０００５】
従って、本発明の目的は、吸収性物品の排泄部領域に複雑な力が加えられても、排泄部領域の粘着部がめくれ難く、また、めくれたとしても、その部位の粘着部が下着の他の部位や吸収性物品自体に再固定されることにより生じる皺やヨレを吸収性物品に生じ難く、装着者に違和感を与え難い吸収性物品を提供することにある。
また、装着者の体液排泄部へ向かう方向への動きを拘束せず、排泄部にフィットし易い吸収性物品を提供することにある。
さらに、粘着部により裏面シートの通気性が損なわれることがなく、上述のごとく皺やヨレを生じ難く装着感や違和感を与え難い吸収性物品を提供することにある。
【課題を解決するための手段】
【０００６】
本発明は、非肌当接面側に配された裏面シートの非肌当接面に粘着部を形成し、該粘着部を介して、装着者の下着に取り付けられる縦長の吸収性物品であって、
前記粘着部は、前記吸収性物品の長手方向両側部に少なくとも一対設けられ、且つ装着者の体液排泄部に当接される排泄部領域における幅方向外側領域に位置し、幅方向内側に向かって凸な曲線形状を有しており、排泄部領域における中央領域には前記粘着部が存在しない部分を有する吸収性物品を提供することにより前記目的を達成したものである。
【発明の効果】
【０００７】
本発明によれば、吸収性物品に複雑な力が加えられても、吸収性物品に皺やヨレが生じ難く、装着者に違和感を与え難い吸収性物品を提供することができる。また、排泄部にフィットし易い吸収性物品を提供することができる。さらに、裏面シートの通気性が損なわれることがなく、上述のごとく皺やヨレを生じ難く装着感や違和感を与え難い吸収性物品を提供することができる。
【発明を実施するための最良の形態】
【０００８】
以下、本発明の吸収性物品であるパンティライナーの好ましい一実施形態について、図１〜図３に基づいて説明する。尚、各図中、同一符号は同一又は同等の構成要素を示している。
【０００９】
図１は本実施形態のパンティライナー１の非肌当接面側から見た平面図であり、図２はパンティライナー１のＸ−Ｘ線断面図であり、図３はパンティライナー１のＹ−Ｙ線断面図である。
本実施形態のパンティライナー１は、図１〜図３に示すように、肌当接面側に配置された液透過性の表面シート２、非肌当接面側に配置された液難透過性の裏面シート３及びこれら両シート２，３間に介在された液保持性の吸水体４とを具備し、表面シート２及び裏面シート３は、吸収体４の周縁から延出する部分において接合部５を形成しており、裏面シート３の非肌当接面に設けた粘着部６を介して下着に取付けられる実質的に縦長の吸収性物品（パンティライナー）１である。また、図１に示すように、本実施形態のパンティライナー１の粘着部６は、パンティライナー１の長手方向両側部に一対６ａ，６ａで設けられ、粘着部６ａは、それぞれ、装着者の体液排泄部に当接される排泄部領域１ａの幅方向外側領域１ｂに、幅方向内側に向かって凸な曲線形状を有している。更に、本実施形態のパンティライナー１は、排泄部領域１ａにおける中央領域１ｃに粘着部６が存在しないものである。
【００１０】
本実施形態のパンティライナー１は、図１に示すように、全体形状が実質的に縦長であり、同形・同大の表面シート１及び裏面シート２から形成されている。
【００１１】
本実施形態のパンティライナー１の粘着部６は、吸収性物品を下着に取り付け、固定するためのものであり、一対の粘着部６ａの長さＬ１（図１参照）は、対応する製品サイズに応じて、適宜自由に選択できるが、本実施形態の場合は、それぞれ、３０〜１１０ｍｍであり、その幅Ｗ１（図２参照）も、対応する製品サイズに応じて、適宜自由に選択できるが、本実施形態の場合は、それぞれ１〜５ｍｍである。また、図１に示すように、一対の粘着部６ａは、それぞれ、排泄部領域１ａの幅方向外側領域１ｂにおいて、幅方向内側に向かって凸に湾曲した曲線形状であり、一対の粘着部６ａの間には粘着部が存在しない領域（排泄部領域１ａの中央領域１ｃ）が形成されている。粘着部６ａの長手方向両端部は、それぞれ、パンティライナー１の中央から長手方向に延びるように形成されている。
【００１２】
本実施形態のパンティライナー１の長手方向両側部に設けられた粘着部の数は、図１に示すように、４対の粘着部６ａ，６ｂ，６ｃ，６ｄが設けられており、それぞれ、パンティライナー１の幅方向に略等間隔を置いて配置されており、パンティライナー１の幅方向中央から幅方向に向かって粘着部の長さを長くして設けている。粘着部の数は、対応する製品サイズに応じて、適宜自由に選択できるが、本実施形態の場合は、一対のみ設けられていても良いが、好ましくは２〜５対である。本実施形態のパンティライナー１においては、一番長い一対の粘着部６ｄの長さＬ２は、それぞれ、５０〜１１０ｍｍである。粘着部６ｂ，６ｃ，６ｄの幅は、それぞれ、前記粘着部６ａの幅同様である。また、粘着部６ａ，６ｂ，６ｃ，６ｄのそれぞれと隣接する間隔８ａは、図２に示すように、１〜５mmである。
【００１３】
本実施形態のパンティライナー１は、排泄部領域１ａの前後の領域に位置し、且つパンティライナー１の幅方向に延びる一対の粘着部７ａを備えている。
一対の粘着部７ａの長さＬ３（図１参照）は、対応する製品サイズに応じて、適宜自由に選択できるが、本実施形態の場合は、それぞれ、７〜５０ｍｍであり、その幅Ｗ２（図３参照）も、対応する製品サイズに応じて、適宜自由に選択できるが、本実施形態の場合は、それぞれ１〜５ｍｍである。図１に示すように、一対の粘着部７ａは、それぞれ、排泄部領域１ａの長手方向外側に凸に湾曲した曲線形状である。
【００１４】
本実施形態のパンティライナー１に設けられた粘着部の数は、図１に示すように、４対の粘着部７ａ，７ｂ，７ｃ，７ｄが設けられており、それぞれ、パンティライナー１の長手方向に略等間隔を置いて配置されており、パンティライナー１の長手方向中央から長手方向に向かって粘着部の長さを長くして設けている。粘着部の数は、対応する製品サイズに応じて、適宜自由に選択できるが、本実施形態の場合は、一対のみ設けられていても良いが、好ましくは２〜５対である。本実施形態のパンティライナー１においては、一番長い一対の粘着部７ｄの長さＬ４は、それぞれ、３５〜５０ｍｍである。粘着部７ｂ，７ｃ，７ｄの幅は、それぞれ、粘着部７ａの幅と同様である。また、図３に示すように、粘着部７ａ，７ｂ，７ｃ，７ｄのそれぞれと隣接する間隔８ｂは、５〜１５ｍｍである。
【００１５】
（パンティライナー等の）吸収性物品では、排泄部に相当する領域（排泄部領域１ａ）とその前後の領域では吸収性物品に与えられる応力が大きく異なり、前後の領域では身体の形状へフィットするよう湾曲に関する応力が主体となるが、排泄部領域１ａでは脚の前後への動きによるひねりや下着が延ばされる事によるせん断（前後への応力）、さらには開脚／閉脚動作によるヨレやせん断（両側への応力）等、様々な方向からいろいろなタイミングで複雑な力を受ける。排泄部領域１ａは６０〜８０ｍｍの範囲と考えられるが、本実施形態のパンティライナーではその大部分が排泄領域１ａであり、複雑な力に対して安定した固定性が求められる。そのため、本発明の実施形態のように側部に粘着部が５０〜１１０ｍｍの長さで固定されていると、排泄部領域１ａでの前後への応力と同じ方向に粘着剤が延びているため下着から離れにくく、幅方向に連続していないため粘着剤間で応力を緩和できる。同様に排泄部領域の前後に別粘着剤が３５〜５０ｍｍの幅で固定されていると、両側への応力と同じ方向に延びているため下着から離れにくく、長手方向に連続しないため粘着剤間で応力を緩和できる。
【００１６】
複雑に加わる力が集中する（もしくは力の基点となる）排泄部領域１ａの中央部すなわち本実施形態におけるパンティライナーの中央領域１ｃに粘着剤が配されていないことによって、複雑に加わる力を緩和しやすくできる。また、粘着部６ａ，６ｂ，６ｃ，６ｄが内側に向かって凸とされていることで両側への応力に対して粘着剤の剥がれを防止し易く、粘着部７ａ，７ｂ，７ｃ，７ｄが外側に凸の形状とされていることで前後の湾曲に対応させ易くなっている。なお、本実施形態では粘着部と粘着部の間が離間されていることによって、ひねり（ねじれ）の対応がなされているが、この離間は排泄部中央ほど応力が高いため、中央ほど長く端部では形成しなくとも良い。
【００１７】
本実施形態のパンティライナー１では、粘着部７ａ，７ｂ，７ｃ，７ｄの間隔８ｂは粘着部６ａ，６ｂ，６ｃ，６ｄの間隔８ａより広くなっており、粘着部が疎となっている。粘着部６ａ，６ｂ，６ｃ，６ｄの間隔８ａの間隔を狭く、密にすることにより、パンティライナー１の排泄部領域１ａでの下着からの剥がれを防止でき、粘着部７ａ，７ｂ，７ｃ，７ｄの間隔８ｂを広くすることにより、粘着剤による吸収性物品の剛性力の向上を抑え、使用者の身体へのフィット性を良好にすることができる。
【００１８】
本実施形態のパンティライナー１では、パンティライナー１の外周縁部に沿って形成されているリング状の周縁粘着部９を備えている。周縁粘着部９は、粘着部６ａ，６ｂ，６ｃ，６ｄの中でパンティライナー１の幅方向の最も外方にある一対の粘着部６ｄ及び粘着部７ａ，７ｂ，７ｃ，７ｄの中でパンティライナー１の長手方向の最も外方にある一対の粘着部７ｄのいずれにも接することなく、パンティライナー１の外周縁部に沿って形成されている。周縁粘着部９を設けることにより、パンティライナー１の外周縁部のめくれを防止することができる。
【００１９】
本実施形態のパンティライナー１の表面シート２、裏面シート３及び吸収体４は、従来の吸収性物品に用いられているものを特に制限なく用いることができる。また、表面シート２と裏面シート３とを接合する接合部５の接合方法としては、公知の接合方法を利用することができる。
【００２０】
本実施形態のパンティライナー１の粘着部６ａ，６ｂ，６ｃ，６ｄ、粘着部７ａ，７ｂ，７ｃ，７ｄ及び周縁粘着部９を構成する粘着剤としては、従来の吸収性物品に用いられている粘着剤を特に制限なく用いることができる。例えば、スチレン−イソプレン−スチレンブロック共重合体（ＳＩＳ）、スチレン−ブタジエン−スチレンブロック共重合体（ＳＢＳ）、スチレン−エチレン−ブチレン−エチレン共重合体（ＳＥＢＳ）等のホットメルト粘着剤等やハップ剤等で使用するゲル状粘着剤等を用いることができ、これらの中でも、粘着物性の経時変化の少ない点から、スチレン−エチレン−ブチレン−エチレン共重合体（ＳＥＢＳ）を用いることが好ましい。これらのホットメルト粘着剤は、オイル成分等の添加剤の添加量を調整することで弾性力及び接着力を調整して用いることができる。
【００２１】
本実施形態のパンティライナー１の粘着部６ａ，６ｂ，６ｃ，６ｄ、粘着部７ａ，７ｂ，７ｃ，７ｄ及び周縁粘着部９の塗布装置としては、従来の吸収性物品に用いられているスロットコーター、スパイラルコーター、スプレーコーター等を用いることができる。
【００２２】
次に上述した本発明の一実施形態のパンティライナー１の一使用形態及び作用効果について説明する。
パンティライナー１は、使用に際して、図４，５に示すように、パンティライナー１の長手方向両側部に設けられた４対の粘着部６（６ａ，６ｂ，６ｃ，６ｄ）の凸形状が、装着者の体液排泄部に当接される排泄部領域１ａの幅方向内側に向かって凸となるように、下着（ショーツ）１０の股下域に取り付けられて使用される。
【００２３】
図５は、下着１０に取り付けた状態でのパンティライナー１のＸ−Ｘ線断面図である。図５に示すように、パンティライナー１の排泄部領域１ａにおける幅方向外側領域１ｂには、４対の粘着部６（６ａ，６ｂ，６ｃ，６ｄ）と、パンティライナー１の幅方向両側縁部に周縁粘着部９とがそれぞれ設けられている。このように、複数個の粘着部でパンティライナー１が下着１０に取り付けられているため、装着者の両足の付け根側から幅方向内側に受ける圧力、ひねり、せん断力等が加わった複雑な力を受けてもパンティライナー１がめくれることがない。また、幅方向に非連続的に粘着部６ａ，６ｂ，６ｃ，６ｄが塗布さているため、剥がれた粘着部６ａ，６ｂ，６ｃ，６ｄがパンティライナー１自体に再固定されパンティライナー１に皺やヨレが生じることが少なく、装着者に違和感を与えることがない。また、排泄部領域１ａにおける中央領域１ｃには、粘着部６ａ及び粘着部７ａが存在しないため、パンティライナー１の装着者の体液排泄部へ向かう方向への動きが拘束されず、排泄部にフィットし、漏れ防止機能が向上する。特に、本実施形態のパンティライナー１では、一対の粘着部６ａの長さが他の一対の粘着部６ｂ，６ｃ，６ｄより短く、同様に、粘着部７ａの長さも短く形成されている。従って、排泄部中央領域１ｃの粘着部６ａ及び粘着部７ａが存在しない領域が広いため、パンティライナー１の装着者の体液排泄部へ向かう方向への動きを拘束せず、排泄部のフィット性が向上する。また、粘着部６ａ，６ｂ，６ｃ，６ｄ、粘着部７ａ，７ｂ，７ｃ，７ｄ及び周縁粘着部９は、裏面シート３に部分的に設けられているため、裏面シート３の通気性が損なわれることがない。更には製造コストのアップを抑えることができる。
【００２４】
本発明の吸収性物品は、上述の実施形態のパンティライナーに何ら制限されるものではなく、生理用品に対しても適宜変更可能である。また、上述の実施形態のパンティライナーにおける各構成要件は、本発明の趣旨を損なわない範囲で、適宜組み合わせて実施できる。
【００２５】
例えば、上述のパンティライナー１の実施形態において、４対の粘着部６ａ，６ｂ，６ｃ，６ｄが、それぞれ、パンティライナー１の幅方向に略等間隔を置いて配置されているが、幅方向内側に向かって間隔を広くしても良い。また、逆に、幅方向内側に向かって間隔を狭くしても良い。
【００２６】
また、上述のパンティライナー１の実施形態において、パンティライナー１の幅方向中央から幅方向に向かって粘着部６ａ，６ｂ，６ｃ，６ｄの長さを変えて設けているが、いずれも同形・同大であってもよい。
【００２７】
また、上述のパンティライナー１の実施形態において、粘着部６ａ，６ｂ，６ｃ，６ｄの凸のカーブを設けているが、内側に向かって凸であればその程度に問題は無い。
【００２８】
また、上述のパンティライナー１の実施形態において、粘着部６ａ，６ｂ，６ｃ，６ｄは、いずれも連続的な曲線形状であるが、実質的に連続していれば、非連続的であっても良い。
【００２９】
また、上述のパンティライナー１の実施形態において、粘着部７ａ，７ｂ，７ｃ，７ｄの間隔８ｂは粘着部６ａ，６ｂ，６ｃ，６ｄの間隔８ａより広くなっており、粘着部が疎となっているが、粘着部の間隔８ａと粘着部の間隔８ｂとを同じにしても良く、また、粘着部の間隔８ａの方を広くしても良い。
【００３０】
また、上述のパンティライナー１の実施形態において、４対の粘着部７ａ，７ｂ，７ｃ，７ｄが設けられているが、粘着部７ａ，７ｂ，７ｃ，７ｄは設けなくても良い。同様に、周縁粘着部９を設けなくても良い。
【００３１】
また、上述のパンティライナー１の実施形態において、４対の粘着部７ａ，７ｂ，７ｃ，７ｄは、それぞれ、排泄部領域１ａの長手方向外側に凸に湾曲した曲線形状であるが、粘着部６ａ，６ｂ，６ｃ，６ｄと同様に適宜変更しても良い。例えば、必ずしも排泄部領域１ａの長手方向内側に凸に湾曲した曲線形状でなくても良い。また、図６に示すように、４対の粘着部７ａ’，７ｂ’，７ｃ’，７ｄ’は、それぞれ、パンティライナー１の幅方向に平行に直線形状となるように設けられていても良い。このような実施形態のパンティライナー１’を下着（ショーツ）１０に取り付けると、使用時において、身体の前後方向の湾曲に対して、パンティライナーが曲がりやすく追随しやすくなり、フィット性が更に向上する。
【００３２】
また、図７に示すように、パンティライナー１’’は、一対の粘着部６ａのそれぞれの両端部と、一対の粘着部７ａのそれぞれの両端部を結びリング状の粘着部１１ａを形成し、同様に、一対の粘着部６ｂ，６ｃ，６ｄそれぞれと一対の粘着部７ｂ，７ｃ，７ｄそれぞれについてもリング状の粘着部１１ｂ，１１ｃ，１１ｄをそれぞれ形成している。このような実施形態のパンティライナー１’’は、全面的に下着（ショーツ）１０に取り付けることができる。また、使用後のパンティライナー１’’を取り替える際、粘着部１１ｂ，１１ｃ，１１ｄそれぞれはリング状に連続に形成されているため、下着１０から剥がし易く、また剥がす際の音が小さいので、装着者にストレスを与えることがない。
【００３３】
本発明の吸収性物品は、パンティライナー１以外にも、例えば、生理用ナプキン、失禁パッド、母乳パッド等の吸収性物品に好適に用いることができる。
【実施例】
【００３４】
具体的な製造法とともに実施例を、以下で説明する。
（実施例）
＜本体の製造＞
パンティライナーの本体には、花王（株）製ロリエきれいスタイル（無香料、長さ１４０ｍｍ、幅５９ｍｍ、中央部最小幅４７ｍｍ）から、ずれ止め用粘着部剤を除いたものを使用した。尚、市販されている生理用ナプキンの場合には、有機溶剤（トルエンなど）を使用して、粘着部剤を取り除いたものを使用する。
【００３５】
＜粘着部の形成＞
一対の粘着部６ａ，６ｂ，６ｃ，６ｄそれぞれと一対の粘着部７ａ，７ｂ，７ｃ，７ｄそれぞれとの両端部をそれぞれ結んだリング状の粘着部１１ａ，１１ｂ，１１ｃ，１１ｄ及び周縁粘着部９には、ホットメルト粘着剤を用い、その粘着剤の粘着力は、坪量５０ｇ／ｍ2の時に、綿（カナキン３号）に対して、６ｃＮ／ｍｍのＴ剥離強度であった。このホットメルト粘着剤を、予め、花王（株）製ロリエきれいスタイル（無香料）のサイズに合うようにカットした剥離紙上に、図７に記載した粘着パターンで塗工し、花王（株）製ロリエきれいスタイル（無香料）の裏面シートに貼り付けた。
【００３６】
塗工したリング状の粘着部１１ａの幅は、２ｍｍであり、他のリング状の粘着部１１ｂ，１１ｃ，１１ｄそれぞれの幅も同様である。最も小さいリング状の粘着部１１ａにおいて、最も狭い幅方向の大きさ（泄部領域の幅方向内側に凸となっている部分）Ｗ３は、４ｍｍであり、最も広い幅方向の大きさＷ４は、５ｍｍである。また、粘着部１１ａの長さＬ５は３１ｍｍである。また、最も大きいリング状の粘着部１１ｄにおいて、最も狭い幅方向の大きさ（泄部領域の幅方向内側に凸となっている部分）Ｗ５は、３０ｍｍであり、最も広い幅方向の大きさＷ６は、３１ｍｍである。また、粘着部１１dの長さＬ６は、１０３ｍｍである。また、リング状の粘着部１１ａ，１１ｂ，１１ｃ，１１ｄの幅方向の間隔は、それぞれ、２ｍｍであり、長手方向の間隔は、それぞれ、１０ｍｍである。また、周縁に設けられた周縁粘着部９の幅は、３ｍｍである。
【００３７】
（比較例）
比較例は、実施例と同様に花王（株）製ロリエきれいスタイル（無香料）を準備した。
比較例は、実施例と同じ粘着剤を使用したが、塗工パターンが大きく異なる。具体的には、図８に示すように、製品１０１の幅方向に平行な連続した第１粘着部１０６を設け、その第１粘着部１０６を、製品の長手方向に２８個設けている。また製品１０１の幅方向に平行な連続した第２粘着部１０７を、製品の長手方向の前後端領域に２個設けている。第１粘着部１０６の製品長手方向の距離は、それぞれ２ｍｍであり、第２粘着部１０７の製品長手方向の距離は、それぞれ４ｍｍである。また、製品の幅方向の距離は、第１粘着部１０６及び第２粘着部１０７の何れも、それぞれ３５ｍｍである。また隣接する第１粘着部１０６同士の間の距離は、２ｍｍであり、同様に、第１粘着部１０６と第２粘着部１０７との距離も、２ｍｍである。
【００３８】
（評価）
実施例のパンティライナーを市販のノーマルショーツに取り付け、それを歩行モデル機に装着し、以下の方法により、形状安定性を評価し、結果を表１に示した。尚、表１の結果は、ｎ＝３の平均値である。
【００３９】
形状安定性
実施例のパンティライナーをショーツに固定し、一旦歩行モデル機に装着させた後にショーツと共にパンティライナーを下ろし、歩行させる前のパンティライナーの面積を、画像解析装置により測定した。その測定値を、形状１００％とする。
次に、実施例のパンティライナーを歩行モデル機に装着し、歩行モデル機の両足を１分間に１００回前後させ歩行状態を再現した。１時間経過後、歩行モデル機からショーツと共にパンティライナーを下ろし、実施例のパンティライナーの歩行後の面積を、画像解析装置を用いて測定した。用いた装置は、光源〔サンライトＳＬ−２３０Ｋ２；ＬＰＬ（株）社製〕を２台使用し、ＣＣＤカメラ〔ＨＶ−３７；日立電子（株）社製〕とレンズ〔Ｎｉｋｏｎ製Ａｉ  ＡＦ  Ｎｉｋｏｎ２４ｍｍＦ２．８Ｄ〕をＦマウントに接続し、Ｎｅｘｕｓ製ＮｅｗＱｕｂｅ（Ｖｅｒ.４．２２）を用いて画像の取り込み・処理をおこなった。その測定値を、先の取り付け直後の測定値で除して、形状維持率を計算した。
また、実施例のパンティライナーを新たに装着した歩行モデル機の両足を１分間に１５０回前後させ早歩き状態を再現し、同様に形状維持率を測定した。また、実施例のパンティライナーを新たに装着した歩行モデル機の両足を１分間に２００回前後させ駆け足状態を再現し、同様に形状維持率を測定した。比較例のパンティライナーについても、同様に、取り付け直後の測定値、歩行状態での形状維持率、早歩き状態での形状維持率及び駆け足状態での形状維持率を測定した。
【００４０】
【表１】
0005306637.tif 000002
【００４１】
表１に示すように、本発明の実施例は、比較例に比べ、形状安定性が高いことが確認できた。
【図面の簡単な説明】
【００４２】
【図１】本発明の吸収性物品の一実施形態の平面図である。
【図２】図１の吸収性物品のＸ−Ｘ断面図である。
【図３】図１の吸収性物品のＹ−Ｙ断面図である。
【図４】下着に図１の吸収性物品を装着させた状態を表す図である。
【図５】図４の吸収性物品を装着した下着のＸ−Ｘ断面図である。
【図６】本発明の吸収性物品の他の実施形態の平面図である。
【図７】本発明の吸収性物品の更に他の実施形態の平面図である。
【図８】従来の吸収性物品の平面図である。
【符号の説明】
【００４３】
１，１’，１’’    吸収性物品
１ａ    排泄部領域
１ｂ    幅方向外側領域
１ｃ    中央領域
２    表面シート
３    裏面シート
４    吸収体
５    接合部
６ａ，６ｂ，６ｃ，６ｄ    粘着部
７ａ，７ｂ，７ｃ，７ｄ，７ａ’，７ｂ’，７ｃ’，７ｄ’    粘着部
８ａ，８ｂ    間隔
９    周縁粘着部
１０    下着
１１ａ，１１ｂ，１１ｃ，１１ｄ    リング状の粘着部
１０１  吸収性物品
１０６  第１粘着部
１０７  第２粘着部
【図１】
0005306637.tif 000003
【図２】
0005306637.tif 000004
【図３】
0005306637.tif 000005
【図４】
0005306637.tif 000006
【図５】
0005306637.tif 000007
【図６】
0005306637.tif 000008
【図７】
0005306637.tif 000009
【図８】
0005306637.tif 000010